(57)【特許請求の範囲】
【請求項１】
ケース本体内に給油機構及びこの給油機構を制御する給油制御装置を収納し、該給油制御装置に接続され前記ケース本体の操作面側に給油データを設定するとともに操作案内をする複数の電子機器を有するデータ入出力装置が配置された給油装置において、
前記ケース本体の操作面側には、検出面を下向きに傾斜させた人体検知センサを取付け、この人体検知センサの検出面の表面に一定のピッチ間隔の仕切板を複数枚配置し、前記人体検知センサの検知信号あるいは非検知信号により前記電子機器を作動状態あるいは不作動状態に制御するデータ制御装置を備えたことを特徴とする給油装置。
【請求項２】
前記人体検知センサの検出面は、垂直に対してやや下向の角度θだけ傾斜して取付けられ、前記検出面に配置される複数の仕切板は、下向きに傾斜した一定の幅Ｘで形成され、一定のピッチ間隔Ｙで設けられ、かつＸ×ｔａｎθ≧Ｙの関係を満たすことを特徴とする請求項１記載の給油装置。
【請求項３】
前記電子機器は、キャンペーン情報、交通情報もしくは宣伝情報等を表示する表示器、または操作手順案内あるいは注意音声を報知するスピーカであることを特徴とする請求項１記載の給油装置。
【請求項４】
前記電子機器は、バックライトを有する透過型液晶表示器であり、前記データ制御装置は、前記人体検知センサの検知信号あるいは非検知信号により前記バックライトを点灯あるいは消灯することを特徴とする請求項１記載の給油装置。
【請求項５】
前記人体検知センサは、本体ケースの操作面側に横方向に傾斜させて取付けられていることを特徴とする請求項１記載の給油装置。
【発明の詳細な説明】
【０００１】
【発明の属する技術分野】
本発明は、人体検知センサによりデータ入出力装置の各電子機器の作動を制御する給油装置に関するものである。
【０００２】
【従来の技術】
従来、給油所においては給油作業員が給油装置を操作して自動車へ給油している。この給油作業は屋外で行われ、作業環境が悪く給油作業員の確保も困難になっている。人件費の削減等のために、給油作業及び窓拭き等のサービス作業を顧客自身が行うセルフサービス方式の給油所がある。このセルフサービスによる給油では、操作に不馴れな人に対して、給油操作の知識の普及、及び安全性が確保されるように各種の電子機器を備えたデータ入出力装置が設けられている。
【０００３】
【発明が解決しようとする課題】
しかしながら、このような電子機器のうちで顧客がいないときでも、キャンペーン表示等を表示器で行うことは、電力消費の無駄であり、また表示器の寿命を短くするおそれがあった。反射型の人体検知センサを利用することで顧客を検知し、これにより電子機器を制御することができるが、太陽光等の外光に影響されて正確に顧客を検知できないことがあった。
【０００４】
本発明は上記事情に鑑みなされたもので、セルフサービスの給油所で顧客の来店を確実に検出して、必要なときだけ電子機器を作動状態に制御できる給油装置を提供することを目的とする。
【０００５】
【課題を解決するための手段】
上記目的を達成するために請求項１に記載の発明にあっては、ケース本体内に給油機構及びこの給油機構を制御する給油制御装置を収納し、該給油制御装置に接続され前記ケース本体の操作面側に給油データを設定するとともに操作案内をする複数の電子機器を有するデータ入出力装置が配置された給油装置において、前記ケース本体の操作面には、検出面を下向きに傾斜させた人体検知センサを取付け、この人体検知センサの検出面の表面に垂直な仕切板を複数枚配置し、前記人体検知センサの検知信号あるいは非検知信号により前記電子機器を作動状態あるいは不作動状態に制御するデータ制御装置を備えたことを特徴とするものである。データ入出力装置の電子機器が設けられるケース本体の操作面に、人体検知センサを設け、その検出面に垂直な仕切板を複数枚配置し、人体検知センサの検知信号あるいは非検知信号により電子機器を作動状態あるいは不作動状態に制御するデータ制御装置を備えることで、必要なときだけ電子機器を制御し、電力消費の軽減を図り、電子機器の寿命を向上させることができる。
【０００６】
請求項２に記載の発明にあっては、前記人体検知センサの検出面は、垂直に対してやや下向の角度θだけ傾斜して取付けられ、前記検出面に配置される複数の仕切板は、下向きに傾斜した一定の幅Ｘで形成され、一定のピッチ間隔Ｙで設けられ、かつＸ×ｔａｎθ≧Ｙの関係を満たすことを特徴とするものである。人体検知センサは、検出面に取付けられた仕切板により、直接に太陽光が入らないようにできるため誤検知を防止することができる。
【０００７】
請求項３に記載の発明にあっては、前記電子機器は、キャンペーン情報、交通情報もしくは宣伝情報等を表示する表示器、または操作手順案内あるいは注意音声を報知するスピーカであることを特徴とする。顧客がいないときに表示器のキャンペーン情報、交通情報もしくは宣伝情報等の表示、あるいはスピーカによる操作手順案内あるいは注意音声の報知をやめることができる。
【０００８】
請求項４に記載の発明にあっては、前記電子機器は、バックライトを有する透過型液晶表示器であり、前記データ制御装置は、前記人体検知センサの検知信号あるいは非検知信号により前記バックライトを点灯あるいは消灯することを特徴とするものである。バックライトの点灯あるいは消灯を制御して電力消費の軽減を図り、透過型液晶表示器の寿命を向上させることができる。
【０００９】
請求項５に記載の発明にあっては、前記人体検知センサは、本体ケースの操作面側に横方向に傾斜させて取付けられていることを特徴とするものである。検出面を本体ケースの操作面に対して横方向に傾斜させて取付ければ、検出範囲を横方向に広くすることができる。
【００１０】
【発明の実施の形態】
以下、本発明を図示の一実施形態により具体的に説明する。図1〜図６は本発明実施形態の給油装置を説明する図であり、図１は給油装置の人体検知センサの取付け構造を説明する図、図２は給油装置の正面図、図３は給油装置の構成を説明するブロック図、図４は給油装置の表示パネルの正面図、図５は図4の表示パネルのＡ−Ａ線拡大断面図、図6は給油装置の人体検知センサの構成を説明するブロック図である。
【００１１】
これらの図において、本発明実施形態の給油装置１０は、例えば、レギュラーガソリン、ハイオクガソリン及び軽油等のいずれかの油種を顧客自身が給油可能なセルフサービス式の地上設置型の装置であり、その本体ケース１１内には、それぞれの油種の給油機構１２を構成する給油ポンプや流量計等が収納されている。この給油機構１２の流量計の流出口には、配管を介して先端に給油ノズル１９を有する給油ホース１８が接続されている。本体ケース１１は、ベースプレート１３の上部に配置された給油機構１１を収納する機器ケース１４と、その上部に配置された表示器ケース１５と、機器ケース１４及び表示器ケース１５の左右に設けられた支柱１６，１６と、支柱１６，１６の上端部間に設けられた給油ホース１８を吊り下げる頂部ケース１７等とから構成されている。給油ノズル１９は、機器ケース１４の正面側に設けられたノズル掛け２０に掛けられるようになっている。そして、表示器ケース１５は、フレーム等で全体として箱型のハウジングに形成されており、そのハウジングの正面側が横方向に複数（実施形態では３つ）に区画され、それぞれの区画の正面にプラスチック等で成型された表示パネル２１が上部側で蝶番等により開閉自在に取付けられている。
【００１２】
中央部に配置される表示パネル２１には、透過型液晶表示からなる表示器２２として給油金額表示器２２ａ、給油量表示器２２ｂ及び単価表示器２２ｃ、単価を切り換え表示するためのＬＥＤ等からなる表示灯２２ｄ、操作手順の案内あるいは注意音声等を出力するスピーカ２３、緊急停止スイッチ２４等が上部から下部にかけて取付けられている。
【００１３】
左側の表示パネル２１には、給油設定データの入力、その入力データ、給油データあるいは給油中のキャンペーン情報、交通情報もしくは宣伝情報等を表示するためのタッチパネル式表示器２５、プリンタ４３から出力される給油伝票の取出し口２６、カードリーダ／ライタ２７及び人体検知センサ３０が設けられている。また、右側の表示パネル２１には、貨幣投入口２８及び釣銭放出口２９が設けられている。
【００１４】
また、表示器ケース１５内には、給油機構１１を制御するとともに流量計等の流量パルスを積算し給油量や給油料金を算出して表示器２２等に表示させる制御を行う給油制御装置４０と、この給油制御装置４０に接続されるデータ入出力装置４１の各電子機器を制御するデータ制御装置４２とが収納されている。このデータ制御装置４２には、各電子機器を構成するタッチパネル式表示器２５、カードリーダ／ライタ２７、プリンタ４３等が接続され、かつスピーカ２３、情報記憶手段３６及び人体検知センサ３０が接続されている。情報記憶手段３６は、スピーカ２３から音声出力するための操作手順の案内あるいは注意音声等と、タッチパネル式表示器２５に表示させるためのキャンペーン情報、交通情報もしくは宣伝情報等を記憶している。そして、データ制御装置４２は、人体検知センサ３０による人体１を検知した検知信号により、データ入出力装置４１の電子機器を構成するスピーカ２３あるいはタッチパネル式表示器２５を作動状態に制御し、所定の時間の非検知信号により、その電子機器を作動停止状態に制御する。
【００１５】
人体検知センサ３０は、光を放出する発光部３１と、この発光部３１から放出された光が人体１で反射した光を受光する受光部３２と、この受光部３２が所定の一定時間だけ受光したことを判断して検知信号あるいは非検知信号を出力する判断部３３と、この判断部３３からの検知信号あるいは非検知信号をデータ制御装置４２へ送信する送信部３４とからなる反射型センサである。この人体検知センサ３０は、下部側に発光部３１、上部側に受光部３２を設けたケース３５の検出面３７を、表示パネル２１の取出し口２６とカードリーダ／ライタ２７との間に形成された縦長の開口２１ａに背面側から臨ませて配置されている。このケース３５は、開口２１ａの背面側下部に形成されたボス２０ｂに、ブラケット３６を介して、検出面３７が垂直に対してやや下向の角度θだけ傾斜して取付けられている。また、開口２１ａに臨まされたケース３５の検出面３７には、その検出面３７に垂直で下向きに傾斜した一定の幅Ｘで形成された複数の仕切板３８が一定のピッチ間隔Ｙで設けられている。この仕切板３７は、ほぼ水平方向から入る太陽光が直接に検出面３７に入射して人体１からの反射光の誤検知が生じないように遮蔽するための部材であり、そのためには角度θと、幅Ｘと、ピッチ間隔Ｙとの間には、Ｘ×ｔａｎθ≧Ｙの関係を満たすことが必要である。
【００１６】
上記構成の給油装置１０では、ケース本体１１の表示器ケース１５の操作面側に設けた表示パネル２１には、データ入出力装置４１の電子機器の一部を構成するタッチパネル式表示パネル２５、及び音声案内用のスピーカ２３等が取付けられ、また人体検知センサ３０が取付けられ、データ制御装置４２が人体検知センサ３０による人体１を検知した検知信号により、情報記憶手段３６から情報を読み出して、スピーカ２３から操作手順案内あるいは注意音声等を出力したり、タッチパネル式表示器２５にキャンペーン情報、交通情報もしくは宣伝情報等を表示する作動状態に制御し、また人体検知センサ３０が所定の時間の非検知信号により、そのスピーカ２３及びタッチパネル式表示器２５を作動停止状態に制御するため、顧客がいないときの電力消費の軽減を図ることができるとともに、電子機器の寿命を向上させることができる。このとき人体検知センサ３０は、下部側に発光部３１、上部側に受光部３２を設けたケース３５の検出面３７が、表示パネル２１の縦長の開口２１ａに背面側から臨ませて配置され、検出面３７が垂直に対してやや下向の角度θだけ傾斜して取付けられ、また、検出面３７には、垂直で下向きに傾斜した一定の幅Ｘで形成された複数の仕切板３８が一定のピッチ間隔Ｙで設けられ、かつＸ×ｔａｎθ≧Ｙの関係を満たすため、太陽光が直接に検出面３７に入射して反射光を誤検知することがない。
【００１７】
図7及び図8は本発明給油装置の他の実施形態を説明する図であり、図7は給油装置の人体検知センサの取付け構造を説明する図、図８は給油装置の人体検知センサの取付け位置を説明する図である。なお前記実施形態に対応する部分及び部材は同一の符号を記し詳細の説明を省略する。
【００１８】
これらの図において、本実施形態の給油装置の操作面側に取付ける人体検知センサ５０は、例えば、前記実施形態と同様の発光部３１と受光部３２とを設けたケース３５の検出面３７を、垂直方向に対して前記の取付け角度θより小さいやや下向きの角度θ´だけ傾斜して取付けられている。そして、この人体検知センサ５０は、ケース３５の検出面３７に、やや下向きに角度φだけ傾斜した一定の幅Zで形成された複数の仕切板が一定のピッチ間隔Ｙで設けられ、かつ太陽光が直接に検出面３７に入射して反射光を誤検知することがないように形成されている。また、人体検知センサ５０は、前記実施形態の人体検知センサ３０と同様に、表示パネル２１の縦長の開口２１ａに背面側から臨ませて配置することができるが、図８に示したように、検出面３７を本体ケース１１の操作面に対して横方向に傾斜させて取付けることができる。
【００１９】
上記構成の人体検知センサ５０を取付けた給油装置では、検出面３７には、垂直面にやや下向きに角度φだけ傾斜した一定の幅Zで形成された複数の仕切板５１が一定のピッチ間隔Ｙで設けられ、また検出面３７を、垂直方向に対して小さいやや下向きの角度θ´だけ傾斜して取付けていることで、太陽光が直接に検出面３７に入射して反射光を誤検知することがなくなるとともに、人体１の検知距離Lを長くすることができる。また、このような人体検知センサ５０を検出面３７が本体ケース１１の操作面に対して横方向に傾斜させて取付ければ、検出範囲を横方向に広くすることができる。さらに幅ＺをＸより小さくでき、センサ取付部の表面に近接して配置できるため感度を良くすることができる。
【００２０】
なお、上記実施形態において、人体検知センサ３０により電子機器のうちタッチパネル式表示器２５の表示制御、あるいはスピーカ４３の音声出力を制御する例を説明したが、その他のデータ表示器の表示を制御したり、透過型液晶表示器のバックライトの点灯あるいは消灯を制御するようにしてもよい。また、人体検知センサの取付け場所は、ケース本体１１の操作面側であればよく、表示パネル２１以外に支柱１６や頂部ケースに取付けることも可能である。さらに、人体検知センサの検出面への仕切板の取付け角度、幅、ピッチ間隔は任意にできる。
【００２１】
【発明の効果】
以上説明したように本発明の給油装置では、ケース本体の操作面には、検出面を下向きに傾斜させた人体検知センサを取付け、この人体検知センサの検出面の表面に仕切板を複数枚配置し、人体検知センサの検知信号あるいは非検知信号により電子機器を作動状態あるいは不作動状態に制御するデータ制御装置を備えたことで、必要なときだけ電子機器を作動状態に制御し、電力消費の軽減を図り、電子機器の寿命を向上させることができる。
【図面の簡単な説明】
【図１】本発明実施形態の給油装置の人体検知センサ取付け構造を説明する図である。
【図２】本発明実施形態の給油装置の正面図である。
【図３】本発明実施形態の給油装置の構成を説明するブロック図である。
【図４】本発明実施形態の給油装置の表示パネルの正面図である。
【図５】本発明実施形態の図4の表示パネルのＡ−Ａ線拡大断面図である。
【図６】本発明実施形態の給油装置の人体検知センサの構成を説明するブロック図である。
【図７】本発明の他の実施形態の給油装置の人体検知センサの取付け構造を説明する図である。
【図８】本発明の他の実施形態の給油装置の人体検知センサの取付け位置を説明する図である。
【符号の説明】
１  人体
１０  給油装置
１１  本体ケース
１２  給油機構
１３  ベースプレート
１４  機器ケース
１５  表示器ケース
１６  支柱
１７  頂部ケース
１８  給油ホース
１９  給油ノズル
２０  ノズル掛け
２０ｂ  ボス
２１  表示パネル
２１ａ  開口
２２  表示器
２２ａ  給油金額表示器
２２ｂ  給油量表示器
２２ｃ  単価表示器
２２ｄ  表示灯
２３  スピーカ
２４  緊急停止スイッチ
２５  タッチパネル式表示器
２６  給油伝票の取出し口
２７  カードリーダ／ライタ
２８  貨幣投入口
２９  釣銭放出口
３０  人体検知センサ
３１  発光部
３２  受光部
３３  判断部
３４  送信部
３５  ケース
３６  情報記憶手段
３７  検出面
３８  仕切板
４０  給油制御装置
４１  データ入出力装置
４２  データ制御装置
４３  プリンタ
５０  人体検知センサ
５１  仕切板
【図１】
0003882189.tif 000002
【図２】
0003882189.tif 000003
【図３】
0003882189.tif 000004
【図４】
0003882189.tif 000005
【図５】
0003882189.tif 000006
【図６】
0003882189.tif 000007
【図７】
0003882189.tif 000008
【図８】
0003882189.tif 000009